(57)【要約】      （修正有）【課題】生花を含む様々な材料を使用する装飾やデザインパターンを可能とさせる。生花だけでは表現できなかった存在感や特別感を実現し、プロモーションの効果を高めるフラワーボードを提供する。【解決手段】フレーム及びスタンドが直立したベースに、交換可能な各種化粧ボードおよびその他素材を挿入し、装飾を施すことで視覚的面積を増やして存在感を演出する。装飾物は生花のみならずアートフラワー等の造花や様々な材料を用いて、デザイン性ならびにオルジナル性を強調する。また、アクリル製のサインプレートによるメッセージ性も加えて高級感を演出する。【選択図】図６
0003204862.tif 000002
【実用新案登録請求の範囲】
【請求項１】
本考案は、フレーム＋スタンドの直立したベースに、デザインが成された交換可能な各種化粧ボードへ、生花およびアートフラワー・その他材料による装飾を施し、サインプレートによるメッセージ性を加え、平面を活用した一体性のある装飾物に関するものである。
【請求項２】
各種化粧ボードはデザインによって多種多様であり、ボードに材料を加えてデザインが施されたもの、またはその内部空間を活かせる材料にて装飾面のベースが確保されているもの等の特徴がある。
【請求項３】
フレーム・スタンド・化粧ボード等は、必要に応じてサイズの変更・造形の変更・各種デザイン・材料を使用するなどで多種多様の展開が可能となることを特徴とする。
【考案の詳細な説明】
【技術分野】
【０００１】  本考案は、慶弔禍福の贈答物（お祝いスタンド等）や空間装飾に関する装飾において、従来の方法には無かった平面を活用したボード等を使用して多様な材料を組み合わせ、より一層の存在感が強調できる装飾品に関するものである。
【背景技術】
【０００２】  お祝いにはスタンド花・アレンジメント・胡蝶蘭等が多く用いられてきたが、色や形等のデザイン面で個の差別化を表現することが難しかった。また、お悔やみには籠花等の供花で全体を統一した装飾が多く用いられるがこちらもデザインの種類が固定化されており、総じて新たな装飾技術を使った商品が望まれている。
【先行技術文献】
【特許文献】
【０００３】なし
【特許文献１】
【非特許文献】
【０００４】なし
【非特許文献１】
【考案の概要】
【考案が解決しようとする課題】
【０００５】  札付きのスタンド花、胡蝶蘭ではデザインが似通り、多数の同商品が並ぶ中では他の祝い花に埋もれてしまい、そのものを目立たせることが困難であった。本考案は、今までにないスタイルで他との差別化を図ることにより複数の祝い花の中でも注目を集め、前述の課題を解決するものである。また、ボード等の平面に装飾を施すことでウェディング装飾や広告等への幅広い利用が期待でき、フューネラルやセレモニー等に於いても従来のイメージから全体装飾のバリエーションを増やすことが可能となるものである。
【課題を解決するための手段】
【０００６】  高さ１，８００ｍｍ×横６００ｍｍサイズの交換可能な化粧ボード等に装飾することで、視覚的面積を増やして存在感を演出する。デザインの一例として、中央に生花を使用して立体感を持たせ、生花の周りにはアートフラワーやプリザーブドフラワー等の造花を用いて華やかさ、ボリューム感、デザイン性を強調する。サインプレートには従来から使用されている木札やカードとは異なり、アクリル製のプレートを用いて高級感を演出する。なお、化粧ボード等のサイズやデザインは一例であり、必要に応じてサイズの変更・その他のデザイン・材料を使用するなど多種多様の展開が可能となっている。
【考案の効果】
【０００７】化粧ボード等を用いることで様々な材料を装飾することが可能となり、生花だけでは表現できなかった重厚感や高級感、特別感等が期待できる。例えば、生花もしくはアートフラワー等を使用した企業ロゴやコーポレートカラーでのデザイン、または企業イメージと合った化粧ボードの造形等、オーダーメイドでの制作も可能となるため、個々の企業のオリジナリティーを表現したうえでプロモーション効果を高く期待できるものである。また、従来にないスタイルであるため使用範囲が限定されず、幅広い分野・用途での利用が可能である。化粧ボード等を支えるフレームはスタンドによって直立が可能な設計であり、転倒防止の安全策も講じているため、安全性にも優れている。
【図面の簡単な説明】
【０００８】
【図１】フレーム組み立て正面
【図２】フレーム上面
【図３】スタンド・サインプレート取り付け
【図４】ファスナー拡大図
【図５】サインプレートの側面
【図６】フレーム組み立て後
【図７】生花等の取り付け
【図８】完成イメージ
【考案を実施するための形態】
【０００９】  構造としてはスタンド、フレーム、Ｌ型アングル、化粧ボード、サインプレートのパーツで構成されており、各種のデザインが施された化粧ボードおよび内部空間へ、生花・アートフラワー等・その他材料による装飾を行う。以下は添付図面に従って一実施例の化粧ボードと材料、デザインを説明する。
【実施例】
【００１０】図１〜図２
▲１▼  左右どちらか一辺を除き、フレーム（１）にＬ型アングル（２）を取り付ける。
▲２▼  化粧ボード（３）をフレームとＬ型アングルの隙間へ平行にスライドして挿入。        ▲１▼で固定していない辺のＬ型アングル（２ａ）を固定する。【００１１】図３〜図６
▲３▼  ▲２▼をスタンド（４）にはめ込み、ファスナー（５）にてロックする。
▲４▼  名札やメッセージをアクリル製のサインプレート（６）に挟み込み、四つ角をボ        ルトで化粧ボードに固定する。取り付けの際はボルトとサインプレートの間にワ        ッシャーを挟みサインプレートの損傷を予防する。また、サインプレートは化粧        ボードから少し浮かせて取り付け立体感を演出するため、スペーサー（７）や化        粧キャップ（８）使用することでボルトを隠してデザインを損なわないようにす        る。【００１２】図７〜図８
▲５▼  円形の鉢皿（９）にオアシス等（１０）をセットして生花等（１１）をアレンジ        する。オアシスは装飾の際に落下しないようオアシステープで鉢皿に固定し、鉢        皿には装飾物の落下防止のため、フレームに固定するためのワイヤー（１２）を        取り付ける。ワイヤーの長さは、化粧ボード前面のデザインによって装飾物を固        定させる位置が変わるため、長さを調整する。
▲６▼  化粧ボードに穴を空けて鉢皿から伸びるワイヤーを通し、フレーム背面の部分に        かかったカラビナ（１３）にワイヤーを引っ掛けてロックする。または化粧ボー        ド全面に取り付けたフックにワイヤーを引っ掛けてロックする。鉢皿の底面と化        粧ボード側の前面にはベルクロテープ（１４）を貼り付け、装飾物の上下左右の        ズレを防止する策を講ずる。
【符号の説明】
【００１３】（１）  フレーム
（２）  Ｌ型アングル  （２ａ）も含む
（３）  化粧ボード
（４）  スタンド
（５）  ファスナー
（６）  サインプレート
（７）  スペーサー
（８）  化粧キャップ
（９）  円形の鉢皿
（１０）オアシス
（１１）生花等
（１２）ワイヤー
（１３）カラビナ
（１４）ベルクロテープ
【図１】
0003204862.tif 000003
【図２】
0003204862.tif 000004
0003204862.tif 000005
【図５】
0003204862.tif 000006
【図６】
0003204862.tif 000007
【図７】
0003204862.tif 000008
【図８】
0003204862.tif 000009
【手続補正書】
【提出日】平成28年4月6日(2016.4.6)
【手続補正１】
【補正対象書類名】実用新案登録請求の範囲
【補正対象項目名】全文
【補正方法】変更
【補正の内容】
【実用新案登録請求の範囲】
【請求項１】
フレーム＋スタンドの直立したベースに、デザインが成された交換可能な各種化粧ボードへ、生花およびアートフラワー・その他材料による装飾を施し、サインプレートによるメッセージ性を加え、平面を活用した一体性のある装飾物であることを特徴とするフラワーボード。
【請求項２】
各種化粧ボードはデザインによって多種多様であり、ボードに材料を加えてデザインが施されたもの、またはその内部空間を活かせる材料にて装飾面のベースが確保されていることを特徴とする請求項１に記載のフラワーボード。
【請求項３】
フレーム・スタンド・化粧ボード等は、必要に応じてサイズの変更・造形の変更・各種デザイン・材料を使用するなどで多種多様の展開が可能であることを特徴とする請求項１に記載のフラワーボード。
【手続補正３】
【補正対象書類名】図面
【補正対象項目名】全図
【補正方法】変更
【補正の内容】
【図１】
0003204862.tif 000010
【図２】
0003204862.tif 000011
【図３】
0003204862.tif 000012
【図４】
0003204862.tif 000013
【図５】
0003204862.tif 000014
【図６】
0003204862.tif 000015
【図７】
0003204862.tif 000016
【図８】
0003204862.tif 000017